(57)【要約】【課題】  電子的決済が可能なカードデータのスキミングを未然に防止する。【解決手段】  カードに記憶されたカードデータを読み取って決済処理を実行し、用紙経路に沿って用紙を搬送する過程で決済情報を前記用紙に印字するカード決済端末１において、決済情報が印字されたロール紙Ｒを可動刃４２が用紙経路１９を横切る過程で切断するカッタ装置４１をハウジング本体部２ａに有し、このハウジング本体部２ａに開閉自在に設けられた開閉部２ｂに当接部４０ａを有し、用紙経路１９を横切った状態の可動刃４２に開閉部２ｂの開き動作に伴い当接部４０ａが当接して開閉部２ｂの開き動作を規制する構成とし、ロック手段により可動刃４２を用紙経路１９を横切った状態にすることで開閉部２ｂをハウジング本体部２ａにロックするようにした。【選択図】    図４
2006146365.tif 000002
【特許請求の範囲】
【請求項１】
カードに記憶されたカードデータを読み取って決済処理を実行し、用紙経路に沿って用紙を搬送する過程で決済情報を前記用紙に印字するカード決済端末において、
ハウジング本体部とこのハウジング本体部に開閉自在に設けられた開閉部と有し、前記開閉部が開けられることにより内部が露出するハウジングと、
前記ハウジング本体部と前記開閉部との何れか一方に設けられた可動刃を有し、駆動源により駆動された前記可動刃が前記用紙経路を横切る過程で印字後の前記用紙を切断するカッタ装置と、
前記ハウジング本体部と前記開閉部とのうち前記可動刃がない方に設けられ、前記用紙経路を横切った状態の前記可動刃に前記開閉部の開き動作に伴い当接する位置に設けられ、前記可動刃に当接した状態で前記開閉部の開き動作を規制する当接部と、
前記駆動部を駆動制御して前記可動刃を前記用紙経路を横切った状態にすることで前記開閉部を前記ハウジング本体部にロックするロック手段と、
前記開閉部の前記ハウジング本体部へのロックを解除する解除手段と、
を備えることを特徴とするカード決済端末。
【請求項２】
前記ロック手段は、規定の時間帯中、前記開閉部を前記ハウジング本体部にロックすることを特徴とする請求項１記載のカード決済端末。
【発明の詳細な説明】
【技術分野】
【０００１】
本発明は、カード決済端末に関する。
【背景技術】
【０００２】
今日、現金の代わりに各種のカードによる電子的決済が広く利用されている。各種のカードとしては、例えば、クレジットカード、デビットカード決済に用いられるキャッシュカード等が電子的決済に用いられる。
【０００３】
電子的決済は、カード決済端末を使用して実行される。カード決済端末は、決算処理に際して、各種のカードのカードデータを読み取ったり、暗証番号の入力を受け付けたりする。一例として、クレジットカードでの決済処理に際して、カード決済端末は、カードデータとしてクレジットカード番号を読み取ることで決済処理を実行する。別の一例として、デビットカード決済に用いられるキャッシュカードでの決済に際して、カード決済端末は、カードデータとして銀行の口座番号を読み取り、暗証番号の入力を受付けることで決済処理を実行する。決済処理に際して、カード決済端末は、読み取った各種カードのカードデータや入力された暗証番号に基づいて問合せ情報を作成し、通信回線を介してその問合せ情報を決済機関の決済機関コンピュータに送信し、信用照会を行う。そして、決済機関コンピュータから問合せに対する承認応答を受信すると、決済処理を実行する。
【０００４】
【特許文献１】特開２００１−２５６５６６公報
【発明の開示】
【発明が解決しようとする課題】
【０００５】
電子的決済の普及に伴い、カードに記憶されたカードデータが盗用される被害が問題となっている。
【０００６】
カードデータの不正取得は、カードデータに記録されている情報を不正に読み出して複製するスキミングにより実行される。スキミングは、スキマーと呼ばれる装置によって容易に実行可能である。スキマーは、一例として、カード決済端末に不正に装着されて使用される。この際、不正行為実行者は、人目に触れない状態でカード決済端末のハウジングを開け、ハウジング内部にスキマーを取り付け、再びハウジングを閉じる。カード決済端末にスキマーが取り付けられると、カード決済端末が使用される毎に、カードデータがスキマーに蓄積されていく。スキマーに蓄積されたカードデータは、各種カードと同一規格の新品カードである生カードをスキャンすることで、この生カードに写し取ることが可能となる。したがって、他人のカードデータを写し取った生カードを不正に使用することで、不正な電子決済が可能になってしまう。
【０００７】
このような問題を解決するために、ハウジングの開閉を検知するスイッチをカード決済端末に取り付け、このスイッチによりハウジングが開けられたことを検出した場合に、その旨を報知するカード決済端末が提案されている（例えば、特許文献１参照）。
【０００８】
しかしながら、特許文献１に記載されたカード決済端末では、もしもスイッチの位置が不正行為実行者に知られてしまった場合には、スイッチが動作しないよう手を加えてからハウジングを開けられることが予想される。この場合には、不正行為実行者は、誰にも知られることなくハウジング内部にスキマーを組み込むことが可能となってしまう。
【０００９】
本発明の目的は、電子的決済が可能なカードデータのスキミングを未然に防止することである。
【課題を解決するための手段】
【００１０】
本発明は、カードに記憶されたカードデータを読み取って決済処理を実行し、用紙経路に沿って用紙を搬送する過程で決済情報を前記用紙に印字するカード決済端末において、ハウジング本体部とこのハウジング本体部に開閉自在に設けられた開閉部と有し、前記開閉部が開けられることにより内部が露出するハウジングと、前記ハウジング本体部と前記開閉部との何れか一方に設けられた可動刃を有し、駆動源により駆動された前記可動刃が前記用紙経路を横切る過程で印字後の前記用紙を切断するカッタ装置と、前記ハウジング本体部と前記開閉部とのうち前記可動刃がない方に設けられ、前記用紙経路を横切った状態の前記可動刃に前記開閉部の開き動作に伴い当接する位置に設けられ、前記可動刃に当接した状態で前記開閉部の開き動作を規制する当接部と、前記駆動部を駆動制御して前記可動刃を前記用紙経路を横切った状態にすることで前記開閉部を前記ハウジング本体部にロックするロック手段と、前記開閉部の前記ハウジング本体部へのロックを解除する解除手段と、を備えることを特徴とする。
【発明の効果】
【００１１】
本発明によれば、電子的決済が可能なカードデータのスキミングを未然に防止することができる。
【発明を実施するための最良の形態】
【００１２】
本発明の一実施の形態を図面に基づいて説明する。本実施の形態のカード決済端末は、クレジットカード、デビットカードとして使用されるキャッシュカード等の現金の代わりとして機能するカードでの決済に際して使用されるものである。
【００１３】
図１は本実施の形態のカード決済端末１を概略的に示す外観斜視図である。図１に示すように、本実施の形態のカード決済端末１のハウジング２の上面３には、カード決済端末１の手前側（操作者側）から奥側に向って、各種のキーが集合するキーボード４、ＬＣＤ（Liquid Crystal Display）を備えた薄型扁平形状であって取引内容や操作案内等を表示する表示器５が順に設けられている。また、キーボード４と表示器５との間のハウジング２の上面３には、ハウジング２に内蔵されるプリンタ６（図２参照）によって印字される決済伝票を発行する発行口７が形成されている。
【００１４】
ハウジング２の右端部には、磁気カードをスキャン操作するためのスリット状のカード読取溝８をハウジング２の上面３側に備えた磁気カードリーダ部９が設けられている。カード読取溝８は、キーボード４及び表示器５の右側に隣接して配置され、クレジットカードの磁気ストライプ側を挿入させて手前側（操作者側）に引き抜くことができる形状に形成されている。磁気カードリーダ部９には、カード読取溝８内をスキャン操作された磁気カードの磁気ストライプに記憶された情報の読み取りを行なうための磁気カードリーダ９ａ（図５参照）が内蔵されている。磁気カードの磁気ストライプに記憶されるカードデータとしては、クレジットカードの場合には、そのカードの固有情報であるクレジットカード番号、キャッシュカードの場合にはそのカードの固有情報である口座番号等がある。
【００１５】
図２はカード決済端末１を概略的に示す縦断側面図である。図２に示すように、ハウジング２の内部には、用紙であるロール紙Ｒを収納する投げ込み式のロール紙収納部１０と、このロール紙収納部１０に収納されたロール紙Ｒを引き出して印字して切断するプリンタメカユニット１１とを有するプリンタ６とが設けられている。ここで、ロール紙Ｒは、長尺紙をロール状に巻回したものである。また、ロール紙収納部１０は、表示器５の直下に配置され、プリンタメカユニット１１は、ロール紙収納部１０の手前側であってキーボード４の直下に配置されている。
【００１６】
図３は開閉部２ｂが開いた状態のカード決済端末１を概略的に示す縦断側面図である。ハウジング２は、図２及び図３に示すように、キーボード４、プリンタ６を支持しているハウジング本体部２ａと、表示器５を支持している開閉部２ｂとから構成されている。開閉部２ｂは、ハウジング本体部２ａの奥側に設けられた支点であるヒンジの軸１５を中心としてハウジング本体部２ａに対して回動での開閉が自在に設けられている。この開閉部２ｂが開くことによりハウジング２の内部が露出する。また、後述するように、プリンタ６の一部は、開閉部２ｂに取り付けられている。
【００１７】
次に、プリンタ６について説明する。プリンタ６には、ロール紙収納部１０を始点としてプリンタメカユニット１１を経由して発行口７へ到る用紙経路１９が形成されている。用紙経路１９は、用紙ガイド４０等によって形成されている。発行口７は、ハウジング本体部２ａと開閉部２ｂとの間に形成される。
【００１８】
ロール紙収納部１０は、ロール紙Ｒを着脱自在に収納保持する上面開口の半円筒形状に形成されている。本実施の形態のロール紙収納部１０は、ロール紙Ｒをそのロール下側からプリンタ６側に用紙先端部を引き出せることができるような状態で収納するものである。なお、上述した開閉部２ｂの下面側は、ロール紙収納部１０の上面を覆うように形成されており、つまり、開閉部２ｂは、ロール紙収納部１０の蓋として機能するものとなっている。そして、ロール紙収納部１０にロール紙Ｒを収納する際には、軸１５を中心として開閉部２ｂを上方に向けて回動させることにより、ロール紙収納部１０が手前側（操作者側）に対して露出する。
【００１９】
プリンタメカユニット１１は、ハウジング本体部２ａ側に配置されたサーマルヘッド１７と、開閉部２ｂの先端部に取り付けられたプラテン１８とを有している。そして、開閉部２ｂが閉じられた状態において、プラテン１８が用紙経路１９を介してサーマルヘッド１７に圧接する構造である。これらのサーマルヘッド１７とプラテン１８とによって印字部が構成されている。
【００２０】
また、プリンタメカユニット１１には、サーマルヘッド１７と発行口７との間でロール紙Ｒを全切断又は部分切断する押し切り型のカッタ装置４１が備えられている。カッタ装置４１は、ハウジング本体部２ａに設けられている。カッタ装置４１は、用紙経路１９に対してスライド移動での進退が自在に設けられた可動刃４２を有している。詳しくは、可動刃４２は、ホームポジションと最大押出し位置との間でスライド自在に設けられている。ここで、図２及び図３には可動刃４２がホームポジションに位置した状態のカード決済端末１が示されており、図４には可動刃４２が用紙経路１９を横切り最大押出し位置に押出された状態のカード決済端末１が示されている。ホームポジションは、可動刃４２が用紙経路１９から退いた位置であり可動刃４２全体がハウジング本体部２ａの内部に位置する位置である。最大押出し位置は、可動刃４２が最も押出された位置であって、可動刃４２の先端部が用紙経路１９を通過して開閉部２ｂの内部に位置する位置である。ここで、カッタ装置４１に対向する用紙ガイド４０には、スリットＳが設けられており、可動刃４２が最大押出し位置へ移動するときには、可動刃４２は、そのスリットＳに挿入される。
【００２１】
このカッタ装置４１には、可動刃４２を駆動力伝達系を介して駆動する駆動源であるカッタモータが設けられている。そして、切断動作においては、カッタモータが可動刃４２を駆動して、可動刃４２をホームポジションから最大押出し位置まで押出す。これにより、可動刃４２が用紙経路１９を横切り用紙経路１９中に位置するロール紙Ｒを切断する。そして、切断後、カッタモータが可動刃４２を最大押出し位置からホームポジションに戻す。また、カッタ装置４１によるロール紙Ｒの切断時には、カッタ装置４１に対向する用紙ガイド４０が用紙押さえとして機能する。このような可動刃４２は、刃先がロール紙Ｒに対して水平となる水平刃、刃先がロール紙Ｒに対して角度を持った斜め刃であってもよいが、斜め刃であって刃先がＶ字状に形成されたＶ字刃が好適である。
【００２２】
ここで、押出されて用紙経路１９を横切った状態の可動刃４２は、カッタ装置４１に対向する用紙ガイド４０のうち可動刃４２の下側に位置する用紙ガイド４０ａの開閉部２ｂの開き動作に伴う回動軌跡上に位置する。即ち、用紙ガイド４０ａは、開閉部２ｂの開き動作に伴い、用紙経路１９を横切った状態の可動刃４２に当接する。ここで、この用紙ガイド４０ａが当接部として機能する。この構造では、可動刃４２が押出されて用紙経路１９を横切った状態においては、開閉部２ｂを開こうとして、開閉部２ｂを上方へ回動させると、用紙ガイド４０ａが可動刃４２と当接して、開閉部２ｂの開き動作が規制される。即ち、開閉部２ｂがハウジング本体部２ａにロックされる。この状態では、ハウジング２の内部は露出しない。ここで、カッタ装置４１及び用紙ガイド４０ａによって、開閉部２ｂをハウジング本体部２ａにロックするロック機構４３が構成されている。
【００２３】
このプリンタ６において、ロール紙Ｒをセットする際には、まず、開閉部を開く。これによりロール紙収納部１０と用紙経路１９とが開放される。この状態でロール紙収納部１０にロール紙Ｒを収納する。そして、サーマルヘッド１７とプラテン１８との間を経由させて発行口７までロール紙Ｒの先端を引き出す。次に、開閉部２ｂを閉じる。これによりカード決済端末１へのロール紙Ｒのセットが完了する。そして、プラテン１８が図示しない駆動部によって回転駆動されることによって、プラテン１８とサーマルヘッド１７とにより挟持されたロール紙Ｒが用紙経路１９に沿って搬送され、この搬送過程において、サーマルヘッド１７によってロール紙Ｒに対する印字動作が実行され、印字後のロール紙Ｒが所定の位置でカッタ装置４１によって切断され、切断されたロール紙Ｒが決済伝票として発行口７から発行される。
【００２４】
次に、カード決済端末１が備える各部の電気的接続について図５を参照して説明する。図５に示すように、カード決済端末１はマイクロコンピュータ（以下、マイコンともいう）２０を備えており、このマイコン２０が各部を駆動制御する。マイコン２０は、各部を集中的に制御するＣＰＵ（Central Processing Unit）２１にバスライン２２を介して、コンピュータプログラム等の固定的データを予め記憶するＲＯＭ（Read Only Memory）２３と各種データを書き換え自在に記憶するワークエリア等として機能するＲＡＭ（Random Access Memory）２４と、日付や時刻を計時するタイマ２５とが接続されて構成されている。ＲＡＭ２４には、カード決済端末１が使用される店舗の業務開始時刻と業務終了時刻とが記憶されており、このＲＡＭ２４は、図示しないバッテリによってバックアップされている。次に、このマイコン２０によって駆動制御されるカード決済端末１の各部を説明する。
【００２５】
キーボード４は、置数キーや実行キーなどのキーを有し、キーボード４用のコントローラ２６を介してバスライン２２に接続され、操作されたキーに応じた信号をコントローラ２６の動作によってマイコン２０に入力する。
【００２６】
表示器５は、表示器５用のコントローラ２７を介してバスライン２２に接続され、マイコン２０からの表示データがコントローラ２７に入力されると、コントローラ２７に駆動されて所定事項を表示する。
【００２７】
磁気カードリーダ９ａは、磁気カードリーダ９ａ用のコントローラ２８を介してバスライン２２に接続され、磁気カードの磁気ストライプに記憶された情報を読み取り、読み取った情報をコントローラ２８の動作によってマイコン２０に入力する。
【００２８】
プリンタメカユニット１１は、プリンタメカユニット１１用のコントローラ２９を介してバスライン２２に接続され、マイコン２０からの印字データがコントローラ２９に入力されると、コントローラ２９に駆動されてロール紙Ｒに所定事項を印字し、そのロール紙Ｒを所定位置で切断して発行する。
【００２９】
また、マイコン２０には、電波の送受信を行うためのアンテナを有し外部機器との情報通信を無線で行う無線通信モジュール３０と、外部機器にケーブルを介して接続され外部機器との情報通信を有線で行うための通信インターフェース３１とが、バスライン２２を介して接続されている。なお、インターフェースは図中ではＩ／Ｆと記載している。これらの無線通信モジュール３０や通信インターフェース３１は、通信回線である公衆回線網、ＣＡＦＩＳ（Credit And Finance Information Switching System）等の中継センターを介して、クレジット会社や銀行等が備える決済機関コンピュータに接続され、決済機関コンピュータとの間で情報通信を行う。
【００３０】
次に、ＣＰＵ２１がコンピュータプログラムに従って実行する各種の処理を説明する。まず、決済処理を図６に示すフローチャートに基づいて説明する。この決済処理は取引の決済の際に行なわれる処理であり、決済操作である操作者によるキーボード４の操作によって取引金額情報の入力があり（ステップＳ１のＹ）、続けて、キーボード４の操作によって支払方法（クレジット支払い、デビット支払い）の入力があり（ステップＳ２のＹ）、さらに、決済操作である操作者によるカード読取溝８でのスキャン操作によって磁気カードリーダ９ａが磁気カードの磁気ストライプから読み取ったカードデータ（クレジットカード番号や口座番号）の入力があったなら（ステップＳ３のＹ）、入力されたカードデータを決済情報として獲得し照会情報を作成する（ステップＳ４）。この照会情報の作成は、入力された取引金額とカードデータとに基づいて作成される。なお、支払方法がデビット支払いの場合には、キーボード４、カード決済端末１に接続される図示しないピンパッドなどにより入力されたキャッシュカードの暗証番号も照会情報に含ませる。
【００３１】
そして、決済操作である操作者によるキーボード４の実行キーの操作がされたなら（ステップＳ５のＹ）、作成した照会情報を各種金融機関が備える決済機関コンピュータへ送信し（ステップＳ６）、決済機関コンピュータからの照会結果情報の受信に待機する（ステップＳ７のＮ）。ここまでの決済操作により、オペレータが行うカード決済端末１に対する決済操作は完了する。
【００３２】
決済機関コンピュータでは、送信された照会情報に対して信用チェックや金額承認等の信用照会処理を行った後に、その照会結果情報をカード決済端末１に送信する。このとき、デビット決済のときには、決済承認の場合には該当する口座の残高から決済金額を差し引く。
【００３３】
カード決済端末１では、決済機関コンピュータからの照会結果情報を受信したならば（ステップＳ７のＹ）、この照会結果情報に従って、プリンタメカユニット１１を駆動制御して決済情報をロール紙Ｒに印字させ、可動刃４２を押出して所定の位置でそのロール紙Ｒを切断して、決済情報が印字されたロール紙Ｒを決済伝票として発行口７から発行させる決済伝票発行処理を実行する（ステップＳ８）。
【００３４】
次に、スキミングを防止するための開閉部ロック処理を図７に示すフローチャートに基づいて説明する。ＲＡＭ２４に設定されている業務終了時刻になった場合、即ち業務時間外になった場合には（ステップＳ１１のＹ）、カッタモータを駆動制御して、可動刃４２を最大押出し位置まで押出して用紙経路１９を横切った状態とし、この状態で可動刃４２の駆動を停止する（ステップＳ１２：ロック手段）。これにより、開閉部２ｂがハウジング本体部２ａにロックされる。この状態で電源が切られても、可動刃４２はこの状態を維持する。
【００３５】
また、例えば、業務開始の際に操作者による電源スイッチの操作により電源がＯＮされた場合、このときの時刻がＲＡＭ２４に記憶されている業務開始時刻と業務終了時刻の間の時間帯、即ち、業務時間内である場合や、電源ＯＮ状態において業務開始時間となった場合には（ステップＳ１１のＮ）、可動刃４２をホームポジションに位置させて、可動刃４２の押出し状態を解除することで、開閉部２ｂのハウジング本体部２ａに対するロックを解除し、決済処理を実行可能な状態とする（ステップＳ１３：解除手段）。このように、本実施の形態では、規定の時間帯として業務終了後から業務開始までの間の時間帯には、可動刃４２が用紙経路１９を横切った状態に維持され、開閉部２ｂがハウジング本体部２ａにロックされる。
【００３６】
以上説明したように、本実施の形態においては、開閉部２ｂをロック機構４３によってハウジング本体部２ａにロックすることにより、開閉部２ｂが物理的に開かなくなるので、カード決済端末１の内部へのスキマーの設置を防止することができ、よって、電子的決済が可能なカードデータのスキミング（盗用）を未然に防止することができる。また、このとき、ロック機構４３は、プリンタ６に使用されているカッタ装置４１及び用紙ガイド４０ａによって構成されているので、ロック機構４３のためだけに特段の構成部品を設ける必要がない。つまり、本実施の形態によれば、カード決済端末１の大型化の防止、コスト増の防止を図りつつロック機構４３を設けることができる。
【００３７】
また、このようにロック機構４３によって開閉部２ｂがハウジング本体部２ａにロックされるので、カード決済端末１の内部にスキマーを設けるためには、ハウジング２を破壊しなければならないが、この場合には、ハウジング２が破壊されたことにより、スキマーが設置されたことを容易に発見することができ、電子的決済が可能なカードデータのスキミングを未然に防止することができる。
【００３８】
また、本実施の形態においては、ロック手段は、規定の時間帯である業務時間以外の間は、開閉部２ｂをハウジング本体部２ａにロックすることにより、業務時間帯での開閉部２ｂを開けてのロール紙Ｒの交換作業を可能としながら、スキマーが設置される可能性が高い時間帯である業務時間外には、カード決済端末１の内部へのスキマーの設置を防止することができる。
【００３９】
次に、開閉部ロック処理の別の実施の形態を説明する。各決済処理において、決済伝票を発行する際に、カッタモータを駆動制御して可動刃４２を押出してロール紙Ｒを切断した後、可動刃４２を用紙経路１９を横切った状態で停止させて、開閉部２ｂをハウジング本体部２ａにロックする（ロック手段）。そして、次の決済処理が開始されるのに伴い、カッタモータを駆動制御して可動刃４２をホームポジションに戻して印字動作を実行可能とする（解除手段）。この場合には、業務時間帯においても、カード決済端末１へのスキマーの設置を防止できる。この場合には、開閉部２ｂのロックを解除する手段を設けることにより、ロール紙Ｒの交換が可能となる。
【００４０】
なお、本実施の形態では、カードとして磁気カードを例に説明したが、カードとしてはＩＣカードであってもよく、この場合には、ＩＣカードリーダをカード決済端末１に設ければよい。
【図面の簡単な説明】
【００４１】
【図１】本発明の一実施の形態のカード決済端末を概略的に示す外観斜視図である。
【図２】その縦断側面図である。
【図３】開閉部が開いた状態のカード決済端末を概略的に示す縦断側面図である。
【図４】可動刃が最大押出し位置に押出された状態のカード決済端末を概略的に示す縦断側面図である。
【図５】カード決済端末が備える各部の電気的接続を示すブロック図である。
【図６】決済処理の流れを示すフローチャートである。
【図７】開閉部ロック処理の流れを示すフローチャートである。
【符号の説明】
【００４２】
１…カード決済端末、２…ハウジング、２ａ…ハウジング本体部、２ｂ…開閉部、１９…用紙経路、４０ａ…当接部、４１…カッタ装置、４２…可動刃、Ｒ…用紙
【図１】
2006146365.tif 000003
【図２】
2006146365.tif 000004
【図３】
2006146365.tif 000005
【図４】
2006146365.tif 000006
【図５】
2006146365.tif 000007
【図６】
2006146365.tif 000008
【図７】
2006146365.tif 000009